(57)【特許請求の範囲】
【請求項１】
固定金具を介して外装材が躯体柱に固定される形態の外装材の施工方法であって、
軒天材が配置される軒裏箇所、又は、開口部装置が設置される開口部下箇所において、実施されるものであり、
前記固定金具の係止爪部に対し、前記外装材の下辺部を差し込む差込工程と、
前記差込工程の後に外装材を釘止め、又は、ビス止めする固定工程と、を有し、
前記差込工程は、
前記外装材の上方に、隙間を空けて他部材が配置される場合に、
前記隙間に工具の挿入部を挿入する挿入工程と、
前記工具の前記挿入部の角度を変更することで、前記隙間の隙間幅に対する前記挿入部の幅を拡大させ、前記挿入部を前記他部材と前記外装材の間で突っ張らせることにより、前記外装材を下方へ押下げる押下げ工程と、を含み、
前記固定工程は、
前記挿入部を前記隙間に挿入した状態で、釘止め、又は、ビス止めする工程、を含む、
外装材の施工方法。
【請求項２】
前記工具の前記挿入部の角度変更は、前記挿入部から延設するアーム部を回動させることによるものであり、
前記アーム部は、前記工具の前記挿入部が前記隙間に挿入された状態で、前記外装材と平行な面内で回動し得るように構成される、
ことを特徴とする請求項１に記載の外装材の施工方法。
【請求項３】
前記挿入部には、前記他部材の下面に当接する上側当接部材、及び／又は、前記外装材の上面に当接する下側当接部材を遊転可能に設けることとする。
ことを特徴とする請求項１又は請求項２に記載の外装材の施工方法。
【発明の詳細な説明】
【技術分野】
【０００１】
本発明は、外装材の施工に用いられる工具、及び、施工方法に関する。
【背景技術】
【０００２】
従来、例えば、特許文献１，２に開示されるように、板状（パネル状）の外装材（外壁面材）を合じゃくり接合（合抉接合（実嵌合））により上下方向に貼り合わせて施工する施工方法は知られている。
【０００３】
また、外装材は、固定金具（留め金具、取付金具）を介して躯体側の柱や胴縁に固定される構成も知られており、特許文献２においては、外装材の上実や下実に対して係止するための係止爪（係止片）を設けた固定金具（留め金具）について開示している。
【０００４】
また、特許文献１にも開示されるように、固定金具を使用する場合においては、外装材は下側から順に設置され、固定金具から上側に向けて突出される係止爪に対し、外装材の下辺に形成した上実（裏合じゃくり部）の傾斜面を引っ掛けるようにして係止させることとしている。
【０００５】
具体的には、図８（Ａ）（Ｂ）及び図９に示すように、固定金具９０は、上側に突出する係止爪９２と下側に突出する係止爪９４を設けた構成としており、係止爪９２，９４は、それぞれ、躯体側の間柱９８と反対側方向に突出する水平部９２ａ，９４ａと、水平部から傾斜して突出される傾斜部９２ｂ，９４ｂを有して構成され、これら水平部と傾斜部によって、外装材９６の突条部９６ａ，９６ｂをそれぞれ収容する空間９２ｃ，９４ｃが形成される。
【０００６】
そして、施工の際には、図８（Ａ）に示すごとく、下側に配置される外装材９６の上部については、上部に設けた裏実９６ｂに形設される突条部９６ｅに対し、係止爪９４の空間９４ｃを上側から嵌め込むように被せ、突条部９６ｅの傾斜面９６ｆに対して係止爪９４の傾斜部９４ｂを当着させるとともに、図示せぬ釘にて固定金具９０を間柱９８に留め付ける。これにより、突条部９６ｅの傾斜面９６ｆが係止爪９４の傾斜部９４ｂに引っ掛かり、外装材９６の上部が間柱９８側に引き寄せられるようにして固定される。
【０００７】
他方、図８（Ｂ）に示すごとく、上側に配置される外装材９６の下部については、下部の上実９６ｃの裏側に形設される突条部９６ａを、固定金具９０の空間９２ｃ内に上側から落とし込むようにして挿入する。これにより、突条部９６ａの傾斜面９６ｄが係止爪９２の傾斜部９２ｂに引っ掛かり、外装材９６の下部が間柱９８側に引き寄せられるようにして固定される。
【０００８】
また、図１１の平面図に示すように、各間柱９８，９８の見付面９８ａ，９８ａにそれぞれ固定金具９０，９０が設置され、各固定金具９０，９０において一枚の外装材９６が取り付けられるようになっている。
【先行技術文献】
【特許文献】
【０００９】
【特許文献１】特開２０１１−１０２５０４号公報
【特許文献２】特開２００９−２４４０３号公報
【発明の概要】
【発明が解決しようとする課題】
【００１０】
しかし、図１１に示すように、実際の施工においては、各間柱９８，９８の見付面９８ａ，９８ａの位置が見込み方向Ｍにおいてずれることが多々生じることがあり、これに伴って、各固定金具９０，９０の見込み方向Ｍの位置にずれが生じることがある。
【００１１】
これに対し、外装材９６の下部の突条部９６ａは一直線上に配置されるものであるため、図８（Ａ）に示すごとく、突条部９６ａを固定金具９０の空間９２ｃ内に落とし込む際に、突条部９６ａが係止爪９２の傾斜部９２ｂに引っ掛かり、スムーズに落とし込みができないことが生じていた。
【００１２】
このため、施工の際には、外装材９６の上端を手で押し下げるなどの力を加えることにより、空間９２ｃに突条部９６ａを押し込むことがなされていた。
【００１３】
しかしながら、例えば、図９（Ｂ）に示すように軒下において外装材９６が設置されるような場合では、軒天材９１と外装材９６の上端の間にわずかな隙間９３しか形成されないため、外装材９６の上端を手で押し下げることができないこととなる。
【００１４】
このことから、図９（Ａ）に示すように隙間９３に楔９５を打ち込むことや、図９（Ｂ）に示すように隙間９３に釘抜き９９を差し込んで押し下げることなどが考えられるが、図１０に示すように、外装材９６の端面が楔９５や釘抜き９９によってこじられてしまい、損傷箇所９７が発生してしまうことが懸念される。
【００１５】
このような損傷箇所９７が発生すると、損傷箇所９７を埋めるなどといった補修対応が必要となることや、損傷箇所９７を起点とするクラック発生の可能性が高まるなど、多くの不具合を誘発することが懸念される。
【００１６】
そこで、本発明は以上の問題に鑑み、外装材の施工に用いる工具、及び、施工方法について新規な技術を提案するものである。
【課題を解決するための手段】
【００１７】
本発明の解決しようとする課題は以上の如くであり、次にこの課題を解決するための手段を説明する。
【００１８】
即ち、請求項１に記載のごとく、
固定金具を介して外装材が躯体柱に固定される形態の外装材の施工方法であって、
軒天材が配置される軒裏箇所、又は、開口部装置が設置される開口部下箇所において、実施されるものであり、
前記固定金具の係止爪部に対し、前記外装材の下辺部を差し込む差込工程と、
前記差込工程の後に外装材を釘止め、又は、ビス止めする固定工程と、を有し、
前記差込工程は、
前記外装材の上方に、隙間を空けて他部材が配置される場合に、
前記隙間に工具の挿入部を挿入する挿入工程と、
前記工具の前記挿入部の角度を変更することで、前記隙間の隙間幅に対する前記挿入部の幅を拡大させ、前記挿入部を前記他部材と前記外装材の間で突っ張らせることにより、前記外装材を下方へ押下げる押下げ工程と、を含み、
前記固定工程は、
前記挿入部を前記隙間に挿入した状態で、釘止め、又は、ビス止めする工程、を含む、
外装材の施工方法とする。
【００２３】
また、請求項２に記載のごとく、
工具の挿入部の角度変更は、挿入部から延設するアーム部を回動させることによるものであり、
アーム部は、工具の挿入部が隙間に挿入された状態で、外装材と平行な面内で回動し得るように構成される。
【００２６】
また、請求項３に記載のごとく、
挿入部には、他部材の下面に当接する上側当接部材、及び／又は、外装材の上面に当接する下側当接部材を遊転可能に設けることとする。
【発明の効果】
【００２９】
本発明の効果として、以下に示すような効果を奏する。
【００３０】
即ち、請求項１に記載の発明においては、
隙間幅が狭い場合であっても、挿入部を挿入、回動することで、容易に外装材を押し下げることが可能となる。また、回動により外装材を押し下げるため、従来の楔を打ち込む場合のように、外装材の端面がこじられて損傷するといった不具合発生を防止することができる。他部材と外装材の間にわずかな隙間が形成されることが想定されるあらゆる箇所に設置される外装材の設置の際に、外装材を損傷させることなく施工を行うことが可能となる。
【００３５】
また、請求項２に記載の発明においては、
アーム部を回動操作することで、外装材を容易に下方へ押下げることが可能となる。
【００３８】
また、請求項３に記載の発明においては、
突っ張りの際に、他部材の下面、或いは、外装材の上面には当接面から均等に荷重が作用するため、下面に作用する荷重が分散されることになり、下面の一点に荷重が集中して下面が損傷するといった不具合の発生を防ぐことができる。この効果は、軒天材が木材で構成される際には、特に有効な効果となる。
【図面の簡単な説明】
【００４１】
【図１】本発明の概要について説明する正面図。
【図２】本発明の概要について説明する側面断面図。
【図３】固定金具と外装材の下辺部の構成について示す側面断面図。
【図４】本発明の一実施形態に関する工具の挿入部の構成について示す図。
【図５】本発明が実施され得る箇所について説明する図。
【図６】（Ａ）は工具の第二の実施例について説明する図。（Ｂ）は工具の第三の実施例について説明する図。
【図７】実施形態の例について説明する図。
【図８】（Ａ）は従来の固定金具による外装材の上部の固定について示す側面断面図。（Ｂ）は従来の固定金具による外装材の下部の固定について示す側面断面図。
【図９】（Ａ）は従来の楔を用いた外装材の押し下げについて説明する側面断面図。（Ｂ）は従来の釘抜きを用いた外装材の押し下げについて説明する側面断面図。
【図１０】外装材の端面に損傷箇所が発生する様子について示す斜視図。
【図１１】固定金具の位置の見込み方向のズレについて説明する平面図。
【発明を実施するための形態】
【００４２】
本実施形態では、図１及び図２に示すごとく、柱３（間柱の場合もある）に対し外装材２０，２０が上下に並設されるようにして固定される。外装材２０の下辺部２２には、裏側が抉られて上実２３（裏合じゃくり部）が形成されており、また、上実２３のさらに裏側には、固定金具１０に係止させるための突条部２４が形成されている。
【００４３】
図３に示すごとく、この突条部２４は、側断面視において下側に向けて突出する部位であり、表側縦面部２４ａと、表側縦面部２４ａの下端から室内側に向けて連続する略水平な下面部２４ｂと、外装材２０の裏面を構成する裏側縦面部２４ｃを有して構成されている。表側縦面部２４ａは、上実２３の裏側の部位を上側方向に切り欠くことによる切欠き溝２４ｄによって形成される。
【００４４】
図３に示すごとく、外装材２０の上辺部２６には、表側が抉られて下実２７（表合じゃくり部）が形成されており、この下実２７によって、固定金具１０に係止させるための突条部２８が形成されている。
【００４５】
この突条部２８は、側断面視において上側に向けて突出する部位であり、表側縦面部２８ａと、表側縦面部２８ａの上端から室内側に向けて連続する略水平な上面部２８ｂと、外装材２０の裏面を構成する裏側縦面部２８ｃを有して構成されている。表側縦面部２８ａは、下実２７の表側の縦面部２８ｄの上部を切り欠くことによって形成される。
【００４６】
固定金具１０は、柱３の見付面に対しビス１１（図２参照）にて固定される固定面部１２と、固定面部１２よりも室外側に向けて突設される二つの係止爪部１４，１６を有している。
【００４７】
一方の係止爪部１４は、室外側方向に突出する水平部１４ａと、水平部１４ａから斜め下方に突出する傾斜部１４ｂを有して構成される。
【００４８】
水平部１４ａと傾斜部１４ｂの間には空間１４ｃが形成され、この空間１４ｃを下実２７の突条部２８に対し上側から嵌め込むようにして被せ、突条部２８の表側縦面部２８ａに対して傾斜部１４ｂが当着される。この状態でビス１１（図２参照）を留め付けると、外装材２０の上部にある下実２７の突条部２８が、柱３側に引き寄せられるようにして固定される。
【００４９】
固定金具１０のもう一方の係止爪部１６は、室外側方向に突出する水平部１６ａと、水平部１６ａから斜め上方に突出する傾斜部１６ｂを有して構成される。
【００５０】
水平部１６ａと傾斜部１６ｂの間には空間１６ｃが形成され、この空間１６ｃに上実２３の突条部２４が挿入され得るようになっている。
【００５１】
ここで、上述したように、固定金具１０の見込み方向Ｍの位置にばらつきが生じることが多くあるため、空間１６ｃに対し突条部２４を容易に挿入することが困難な場合が生じる。
【００５２】
このような場合には、係止爪部１６の傾斜部１６ｂに突条部２４の表側縦面部２４ａの一部を載せた状態とした後に、外装材２０を上から押し下げることにより、空間１６ｃに対して突条部２４が押し込まれることになる。この際、係止爪部１６の傾斜部１６ｂが突条部２４の表側縦面部２４ａに当着することで、突条部２４が室内側に引き寄せられるようにして柱３に対して留め付けられる。
【００５３】
以上の構成において、外装材の施工の際には、まず、下側の外装材２０の上辺部２６を固定金具１０によって柱３に対して留め付けて、下側の外装材２０の止め付けを完了する。
【００５４】
次いで、柱３に留め付けられた固定金具１０に対し、上側の外装材２０の下辺部２２を固定する。この際、上述したように、固定金具１０の見込み方向Ｍの位置にばらつきが生じるため、必要に応じて、外装材２０に上から力を加えることで、固定金具１０の係止爪部１６に対し外装材２０の下辺部２２を押し込む必要が生じる。
【００５５】
そして、本実施例では、図１及び図２に示すごとく、上側の外装材２０の上方に、他部材として軒天材５が配置されている状況となっており、軒天材５と外装材２０の間にはわずかな隙間２（例えば、１０ｍｍ〜１５ｍｍ程度）が存在する状況となっている。このような状況では、外装材２０を上から押し下げることで、下辺部２２を固定金具１０に対して押し込むことが困難となる。
【００５６】
そこで、工具６を用いた外装材２０の押し下げが実施される。この工具６は、図１乃至図３に示すように、外装材２０の上方に、隙間２を空けて他部材（軒天材５）が配置される場合に、固定金具１０の係止爪部１６に対し、外装材２０の下辺部２２を差し込む差込工程の際に用いられる。
【００５７】
図４に示すごとく、工具６は、隙間２（図１参照）に挿入される挿入部６２と、挿入部６２から延設するアーム部６４と、を有している。挿入部６２は、楕円状の断面を構成する柱状の部材にて構成され、その断面（柱状の長手方向と直交する断面）において長手寸法６２Ｗと、短手寸法６２Ｈを構成し得るようになっている。短手寸法６２Ｈは、施工において想定される隙間幅２Ｗよりも小さく設計されることが好ましい。また、長手寸法６２Ｗは、施工において想定される外装材２０の落とし込み量２Ｄを十分に確保できるように設計されることが好ましい。
【００５８】
そして、挿入部６２の上下寸法となるような挿入部６２の角度において、隙間２に対して挿入部６２が挿入され、その後、挿入部６２が回動されると、隙間２内における挿入部６２の上下寸法が拡大し、挿入部６２が軒天材５の下面５ａと外装材２０の上端面２０ａの間で突っ張ることで、外装材２０が下方へ押下げられるようになっている。なお、この上端面２０ａは、施工現場における寸法調整などにより、略平坦な切断面にて構成されている。
【００５９】
また、本実施例のように挿入部６２を楕円状の断面を構成する柱状の部材にて構成することで、挿入部６２の断面の長手方向の端部において角のないなだらかな曲面部６２ａ，６２ａが構成されることになり、この曲面部６２ａ，６２ａが挿入部６２が軒天材５の下面５ａと外装材２０の上端面２０ａに対して当接しつつ滑るようにようにして移動して、下面５ａと上端面２０ａの間において挿入部６２を突っ張らせることが可能となる。
【００６０】
このような態様で挿入部６２の突っ張りがなされることにより、軒天材５の下面５ａや外装材２０の上端面２０ａがこじられて損傷するといった不具合を防ぐことが可能となる。
【００６１】
また、図１及び図２に示すごとく、挿入部６２からはアーム部６４が延設されており、このアーム部６４の下端に形成される把持部６５をつかむことによって、工具６を扱うことができるようになっている。例えば、下側から手を伸ばしてアーム部６４の先端に設けられる挿入部６２を隙間２に挿入することができる。特に、本実施例のように軒下での作業となる場合には、高所作業となることが想定さるため、アーム部６４を設ける構成は、優れた作業性を確保する上で重要な構成となる。
【００６２】
また、図２に示すごとく、アーム部６４は、工具６の挿入部６２が隙間２に挿入された状態で、外装材２０と平行な面内で回動し得るように構成される。つまり、隙間２に挿入部６２が挿入した状態で、アーム部６４が外装材２０と平行に配置され得るようになっている。
【００６３】
さらに、図４に示すごとく、アーム部６４は、工具６の挿入部６２の角度変更後、つまり、外装材２０を押し下げた状態において、挿入部６２の鉛直下方位置からずれた回動角度αをなすように構成されている。
【００６４】
これにより、外装材２０に釘７を打ち込んで留め付ける形態において、釘７の位置が挿入部６２の下方の位置となる場合においても、図１に示すように金槌９などを用いた釘７の打ち込みの際に、アーム部６４が邪魔になることがない。また、左手で工具６を保持して外装材２０を押し下げつつ、右手で金槌９による釘７の打ち込みを行うといった両手作業も可能となり、作業性に優れた構成を実現することができる。
【００６５】
なお、本実施形態では、釘７を挿入するための貫通孔２１が外装材２０に予め形成されているものとし、この貫通孔２１を通じて釘７が胴縁８（図２参照）に対して打ち付けられることで、外装材２０の上部が胴縁８に対して止め付けられることとなっている。
【００６６】
以上のようにして、本発明を実施することができる。
即ち、図１乃至３に示されるように、
固定金具１０を介して外装材２０が躯体（柱３）に固定される形態の外装材２０の施工に用いる工具６であって、
外装材２０の上方に、隙間２を空けて他部材（軒天材５）が配置される場合に、固定金具１０の係止爪部１６に対し、外装材２０の下辺部２２を差し込む差込工程に用いられる工具６であり、
挿入部６２を有し、
挿入部６２の角度を変更することで、隙間２の隙間幅２Ｗに対する挿入部６２の幅を拡大させ、挿入部６２を他部材（軒天材５）と外装材２０の間で突っ張らせることにより、外装材２０を下方へ押下げる、
外装材２０の施工に用いる工具６とする。
【００６７】
これによれば、隙間幅２Ｗが狭い場合であっても、挿入部６２を挿入、回動することで、容易に外装材２０を押し下げることが可能となる。また、回動により外装材２０を押し下げるため、従来の楔を打ち込む場合のように、外装材２０の端面がこじられて損傷するといった不具合発生を防止することができる。
【００６８】
また、工具６は、
挿入部６２から延設するアーム部６４を有し、
アーム部６４は、工具６の挿入部６２が隙間２に挿入された状態で、外装材２０と平行な面内で回動し得るように構成され、
アーム部６４を回動させることで挿入部６２が回動する構成とする。
【００６９】
これによれば、アーム部６４を回動操作することで、外装材２０を容易に下方へ押下げることが可能となる。
【００７０】
また、アーム部６４は、工具６の挿入部６２の角度変更後において、挿入部６２の鉛直下方位置からずれた回動角度をなすように構成される、ことが好ましい。
【００７１】
これによれば、例えば、外装材２０に釘７を打ち込んで留め付ける形態において、釘７の位置が挿入部６２の下方の位置となる場合においても、図１に示すように金槌９などを用いた釘７の打ち込みの際に、アーム部６４が邪魔になることがない。また、左手で工具６を保持して外装材２０を押し下げつつ、右手で金槌９による釘７の打ち込みを行うといった両手作業も可能となり、作業性に優れた構成を実現することができる。
【００７２】
さらに、図６（Ａ）に示す挿入部７０のように、挿入部７０には、他部材である軒天材５の下面に当接する上側当接部材７２を遊転可能に設けることとしてもよい。この例では、上側当接部材７２は、平坦な当接面７２ａと、挿入部本体７０ａの側面に対しネジ７２ｃを用いて回動可能に固定される固定面７２ｂを有する構成としている。
【００７３】
そして、隙間２に対して挿入部７０を挿入した際に、軒天材５の下面５ａに対して当接面７２ａを当接させた状態とし、挿入部本体７０ａを回動させると、当接面７２ａは角度を保ったまま挿入部本体７０ａが角度変更され、挿入部本体７０ａ本体が軒天材５の下面５ａと外装材２０の上端面２０ａの間で突っ張ることになる。
【００７４】
この突っ張りの際に、軒天材５の下面５ａには当接面７２ａから均等に荷重が作用するため、下面５ａに作用する荷重が分散されることになり、下面５ａの一点に荷重が集中して下面が損傷するといった不具合の発生を防ぐことができる。この効果は、軒天材５が木材で構成される際には、特に有効な効果となる。
【００７５】
なお、挿入部７０には、上側当接部材７２に加え、或いは、単独で、外装材の上面に当接する下側当接部材を遊転可能に設けることとし、外装材の上面への荷重の集中を抑制することとしてもよい。
【００７６】
また、本発明の施工方法の実施形態として、図１乃至３に示されるように、
固定金具１０を介して外装材２０が躯体（柱３）に固定される形態の外装材２０の施工方法であって、
固定金具１０の係止爪部１６に対し、外装材２０の下辺部２２を差し込む差込工程を有し、
差込工程において、
外装材２０の上方に、隙間２を空けて他部材（軒天材５）が配置される場合に、
隙間２に工具６の挿入部６２を挿入する挿入工程と、
工具６の挿入部６２の角度を変更することで、隙間２の隙間幅２Ｗに対する挿入部６２の幅を拡大させ、挿入部６２を他部材（軒天材５）と外装材２０の間で突っ張らせることにより、外装材２０を下方へ押下げる押下げ工程と、を含む、外装材２０の施工方法とするものである。
【００７７】
これによれば、隙間幅２Ｗが狭い場合であっても、挿入部６２を挿入、回動することで、容易に外装材２０を押し下げることが可能となる。また、回動により外装材２０を押し下げるため、従来の楔を打ち込む場合のように、外装材２０の端面がこじられて損傷するといった不具合発生を防止することができる。
【００７８】
また、工具６の挿入部６２の角度変更は、挿入部６２から延設するアーム部６４を回動させることによるものであり、
アーム部６４は、工具６の挿入部６２が隙間２に挿入された状態で、外装材２０と平行な面内で回動し得るように構成されることが好ましい。
【００７９】
これによれば、アーム部６４を回動操作することで、外装材２０を容易に下方へ押下げることが可能となる。
【００８０】
また、アーム部６４は、工具６の挿入部６２の角度変更後において、挿入部６２の鉛直下方位置からずれた回動角度をなすように構成され、
固定工程の際における釘止め、又は、ビス止めの位置とずれた位置に、アーム部６４が配置される、ことが好ましい。
【００８１】
これによれば、例えば、外装材２０に釘７を打ち込んで留め付ける形態において、釘７の位置が挿入部６２の下方の位置となる場合においても、図１に示すように金槌９などを用いた釘７の打ち込みの際に、アーム部６４が邪魔になることがない。また、左手で工具６を保持して外装材２０を押し下げつつ、右手で金槌９による釘７の打ち込みを行うといった両手作業も可能となり、作業性に優れた構成を実現することができる。
【００８２】
さらに、図６（Ａ）に示す挿入部７０のように、挿入部７０には、他部材である軒天材５の下面に当接する上側当接部材７２を遊転可能に設けることとしてもよい。この例では、上側当接部材７２は、平坦な当接面７２ａと、挿入部本体７０ａの側面に対しネジ７２ｃを用いて回動可能に固定される固定面７２ｂを有する構成としている。
【００８３】
そして、隙間２に対して挿入部７０を挿入した際に、軒天材５の下面５ａに対して当接面７２ａを当接させた状態とし、挿入部本体７０ａを回動させると、当接面７２ａは角度を保ったまま挿入部本体７０ａが角度変更され、挿入部本体７０ａ本体が軒天材５の下面５ａと外装材２０の上端面２０ａの間で突っ張ることになる。
【００８４】
なお、挿入部７０には、上側当接部材７２に加え、或いは、単独で、外装材の上面に当接する下側当接部材を遊転可能に設けることとし、外装材の上面への荷重の集中を抑制することとしてもよい。
【００８５】
この突っ張りの際に、軒天材５の下面５ａには当接面７２ａから均等に荷重が作用するため、下面５ａに作用する荷重が分散されることになり、下面５ａの一点に荷重が集中して下面が損傷するといった不具合の発生を防ぐことができる。この効果は、軒天材５が木材で構成される際には、特に有効な効果となる。
【００８６】
また、押下げ工程の後に、外装材２０を釘止め、又は、ビス止めする固定工程をさらに有する、こととするものである。
【００８７】
この固定工程の際には、事前の押下げ工程によって外装材２０の下辺部２２が固定金具１０に対してしっかりと留め付けられているため、外装材２０のズレを生じさせることなく、釘止めやビス止めを行うことが可能となる。
【００８８】
また、差込工程の前に、外装材２０に貫通孔２１を形成しておき、貫通孔２１に、釘、又は、ビスを挿入する準備工程をさらに有する、ことが好ましい。
【００８９】
これによれば、押下げ工程を完了した後に、金槌９などを用いた釘の打ち付けや、他の工具を用いたビスの捻じ込みをすぐに実施することが可能となり、優れた作業性を実現できることになる。特に、軒下において外装材２０を設置する場合においては、高所作業になるため、このような準備工程を実施しておくことは、施工時間短縮に大きく貢献することができ、優れた効果となる。
【００９０】
また、図５に示すように、本発明が好適に実施される箇所は、上述したように、水平な軒天材５が配置される軒裏箇所１Ａのほか、傾斜屋根下のように傾斜する軒天材が配置される軒裏箇所１Ｂ、玄関庇の軒裏箇所１Ｃ、さらには、窓やシャッターやドアなどの開口部装置が設置される開口部下箇所１Ｄも想定される。
【００９１】
このように、他部材と外装材２０の間にわずかな隙間が形成されることが想定されるあらゆる箇所に設置される外装材２０Ａ〜２０Ｄの設置の際に、外装材を損傷させることなく施工を行うことが可能となる。
【００９２】
また、図６（Ａ）に示す挿入部７０のほか、図６（Ｂ）に示す挿入部７４のように、挿入部本体７４ａに対し、上側当接部材７６をピン部材７５を用いて回動可能に固定する形態としてもよい。
【００９３】
さらに、図７には実施形態の他の例を示している。この図７の各形態からも明らかなように、本発明に係る工具は各種の形態により実施することが可能である。形態１〜形態６については、上述した図１に示される工具と同様の形態である。
【００９４】
また、形態７については、挿入部にスライド可能な上側当接部材を設ける例である。また、形態８については、挿入部を首ふり可能に設けた例である。また、形態９については、グリップし易く構成した持ち手部の例である。
【００９５】
また、形態１０、１１については、幅の狭い挿入部と、幅の広い挿入部を設ける構成の例であり、挿入される隙間の幅に応じて用いる挿入部を選べる構成とするものである。
【産業上の利用可能性】
【００９６】
本発明は、外装材を設置する際に、外装材の上面と軒天材のような他部材との間に、わずかな隙間が形成される状況において、幅広く利用することができる。
【符号の説明】
【００９７】
２    隙間
２Ｗ    隙間幅
３    柱
５    軒天材
５ａ    下面
６    工具
７    釘
１０    固定金具
１１    ビス
１２    固定面部
１６    係止爪部
１６ａ    水平部
１６ｂ    傾斜部
１６ｃ    空間
２０    外装材
６２    挿入部
６２ａ    曲面部
６２Ｈ    短手寸法
６２Ｗ    長手寸法
６４    アーム部
６５    把持部
【図１】
0005995264.tif 000002
【図２】
0005995264.tif 000003
【図３】
0005995264.tif 000004
【図４】
0005995264.tif 000005
【図５】
0005995264.tif 000006
【図６】
0005995264.tif 000007
【図７】
0005995264.tif 000008
【図８】
0005995264.tif 000009
【図９】
0005995264.tif 000010
【図１０】
0005995264.tif 000011
【図１１】
0005995264.tif 000012